(57)【要約】【課題】  ウェブログによる情報の繋がりやコミュニティ性を十分に発揮させるためのウェブログサービスを提供するウェブログサーバ及びウェブログサービス提供システムを実現する。【解決手段】  ウェブログを開設するユーザが操作するユーザ端末３００に対し、ウェブログサービスを提供するウェブログサーバ１００であって、トラックバック先としてのＷＥＢ上の複数のコンテンツ情報を自動的に取得するコンテンツ情報取得手段（１０５１）と、ユーザ端末３００に送信される複数のトラックバック先に関する情報をコンテンツ情報に基づいて生成するトラックバック先情報生成手段（１０５４）と、  このトラックバック先に関する情報に応じてユーザ端末３００にて指定されたトラックバック先に対しトラックバックを行うトラックバック手段（１０５６）とを有する。【選択図】  図１
2007025753.tif 000002
【特許請求の範囲】
【請求項１】
ウェブログを開設するユーザが操作するユーザ端末に対し、ウェブログサービスを提供するウェブログサーバであって、
トラックバック先としてのＷＥＢ上の複数のコンテンツ情報を自動的に取得するコンテンツ情報取得手段と、
前記ユーザ端末に送信される複数のトラックバック先に関する情報を前記コンテンツ情報に基づいて生成するトラックバック先情報生成手段と、
このトラックバック先に関する情報に応じて前記ユーザ端末にて指定されたトラックバック先に対しトラックバックを行うトラックバック手段とを有することを特徴とするウェブログサーバ。
【請求項２】
前記コンテンツ情報取得手段は、トラックバックアドレスを含む複数の前記コンテンツ情報をＷＥＢ上から自動的に取得し、
前記トラックバック手段は、前記ユーザ端末にて指定されたトラックバック先に対応する前記トラックバックアドレスに基づいてトラックバックを行うことを行うことを特徴とする請求項１に記載のウェブログサーバ。
【請求項３】
前記トラックバック手段は、前記ユーザ端末にてトラックバック先が複数指定された場合、指定された各トラックバック先に対してトラックバックを行うことを特徴とする請求項１又は２に記載のウェブログサーバ。
【請求項４】
前記トラックバック先としてのＷＥＢ上のコンテンツ情報に関連したキーワード情報を記憶するキーワード情報記憶手段を有し、
前記コンテンツ情報取得手段は、前記キーワード情報に応じた前記コンテンツ情報を自動的に取得することを特徴とする請求項１から３のいずれか１つに記載のウェブログサーバ。
【請求項５】
前記トラックバック手段によりトラックバックが行われたトラックバック先の前記コンテンツ情報に対応する前記キーワード情報に関連する新たなキーワード情報を自動的に生成するキーワード情報生成手段を有することを特徴とする請求項４に記載のウェブログサーバ。
【請求項６】
ウェブログを開設するユーザが操作するユーザ端末と、該ユーザ端末にウェブログサービスを提供するウェブログサーバとを備えたウェブログサービス提供システムであって、
前記ウェブログサーバは、トラックバック先としてのＷＥＢ上の複数のコンテンツ情報を自動的に取得するコンテンツ情報取得手段と、
前記ユーザ端末に送信される複数のトラックバック先に関する情報を前記コンテンツ情報に基づいて生成するトラックバック先情報生成手段と、
このトラックバック先に関する情報に応じて前記ユーザ端末にて指定されたトラックバック先に対しトラックバックを行うトラックバック手段とを有することを特徴とするウェブログサービス提供システム。
【請求項７】
ウェブログを開設するユーザが操作するユーザ端末に対して、ウェブログサービスを提供するウェブログサーバで実行されるプログラムであって、
トラックバック先としてのＷＥＢ上の複数のコンテンツ情報を自動的に取得するステップと、
前記ユーザ端末に送信される複数のトラックバック先に関する情報を前記コンテンツ情報に基づいて生成するステップと、
このトラックバック先に関する情報に応じて前記ユーザ端末にて指定されたトラックバック先に対しトラックバックを行うステップとを有することを特徴とするプログラム。
【請求項８】
ウェブログを開設するユーザが操作するユーザ端末に対して、ウェブログサーバからウェブログサービスを提供するウェブログサービス提供方法であって、
トラックバック先としてのＷＥＢ上の複数のコンテンツ情報を自動的に取得するステップと、
前記ユーザ端末に送信される複数のトラックバック先に関する情報を前記コンテンツ情報に基づいて生成するステップと、
このトラックバック先に関する情報に応じて前記ユーザ端末にて指定されたトラックバック先に対しトラックバックを行うステップとを有することを特徴とするウェブログサービス提供方法。
【請求項９】
ウェブログを開設するユーザが操作するユーザ端末に対し、当該ウェブログにおけるトラックバック機能を提供するトラックバック装置であって、
トラックバック先としてのＷＥＢ上の複数のコンテンツ情報を自動的に取得するコンテンツ情報取得手段と、
前記ユーザ端末に送信される複数のトラックバック先に関する情報を前記コンテンツ情報に基づいて生成するトラックバック先情報生成手段と、
このトラックバック先に関する情報に応じて前記ユーザ端末にて指定されたトラックバック先に対しトラックバックを行うトラックバック手段とを有することを特徴とするトラックバック装置。
【発明の詳細な説明】
【技術分野】
【０００１】
本発明は、ウェブログ（ＷＥＢＬＯＧ）で使用されるトラックバック機能を支援するためのサーバ及びシステム等に関する。
【背景技術】
【０００２】
従来から、ＷＥＢサイト上では企業レベル若しくは個人レベルで多くの情報が掲載され、利用者はこれらのＷＥＢサイト（ホームページ等）にインターネットを介してアクセスすることで所望の情報を検索・閲覧したり、関連するリンク情報から他のサイトにアクセスして情報を取得することができる。
【０００３】
一般に、ＷＥＢサイトに掲載される情報はＷＥＢサイトを運営管理する企業や個人ユーザにより更新され、更新する情報を当該ＷＥＢサイトのページファイル（ＨＴＭＬファイル等）をサーバにアップロードすることにより行われる。しかし、サイト更新は当該ＷＥＢサイトを運営管理する企業や個人ユーザ等に委ねられており、サイト更新の遅延による情報の陳腐化などを招き易い。このため、利用者側では情報価値が低くなり、サイト運営者側では当該サイトへのアクセス数が低減するなどの悪循環を招く要因となっている。
【０００４】
また、サイト更新の際、ブラウザ機能に適合するＨＴＭＬ等の言語知識やアップロード時のファイル転送に関する知識（ＦＴＰ：ファイル転送プロトコル）も必要となり、ホームページ作成支援ソフト等の導入する場合も含め、サイトの運営管理にコストが掛かる問題があった。
【０００５】
そこで、近年ではＷＥＢサイトに新しい情報を登録するだけで、自動的に情報を追加・更新することが可能なウェブログ（Ｗｅｂｌｏｇ、通称ブログ）が注目されている。
【０００６】
このウェブログは、サイト運営者などの管理者が書き込んだ情報がこのデータベースに格納され、利用者が当該ウェブログページにアクセスすると、格納されている情報から毎回ウェブログページ（ページ情報）を生成し直すものである。
【０００７】
このため、専門知識を必要とせず、ホームページ作成支援ソフト等を用いなくても、ＷＥＢ上に接続可能なネット環境とブラウザ機能が備わっているコンピュータ等の端末装置により、簡単に情報を公開することができ、従来のホームページに比べ、情報の更新・追加を行い易いものとなっている。
【０００８】
さらに、このウェブログは公開された情報、つまり管理者（ウェブログ開設者）が公開した記事等に対してコメントを登録することができるコメント機能や、別のウェブログへリンクを張った際にリンク先の相手に対してリンクを張った旨を通知するトラックバック機能などの機能が備わっており、従来のＷＥＢサイトよりもコミュニティ性が高く、インタラクティブな情報交換が可能なものとなっている。
【０００９】
特に、このトラックバック機能は管理者がウェブログサイト上で公開する記事に関連した別のウェブログの記事に対して当該管理者の記事への逆リンクを形成することができる機能である。したがって、従来は公開する情報に関連するリンク先に対してリンクを張っても、リンクを張った当該リンク先からはリンク元を参照することができなかったために一方通行的な情報の流れであったが、ウェブログはこのトラックバックの機能により、情報の繋がりが広がり、情報に供する機会をより促進させることができる。
【発明の開示】
【発明が解決しようとする課題】
【００１０】
しかしながら、このウェブログにおけるトラックバックは、１）トラックバックしたいトラックバック先（他のウェブログ先）を検索エンジンで検索し、２）検索した記事（コンテンツ）が掲載されている別のウェブログページに一度アクセスして記事内容を確認し、３）当該別のウェブログページに掲載されているトラックバックアドレスをコピーし、４）自身のウェブログページにトラックバックアドレスを入力（若しくは貼り付け）し、５）このトラックバックアドレスに対してトラックバック通知を送信することにより行われる。
【００１１】
したがって、従来のようなリンクを張りたいサイトに対するリンク許可やリンクをした旨の通知等を必要としない点において有利なものの、上記１）から４）の手順はその作業的な観点から従来のホームページ等で行われるリンク作業と変わらず、非常に手間の掛かるものである。
【００１２】
このため、複数のトラックバック先に対してトラックバックを行う場合、上記１）から４）の手順をそのトラックバック先の数だけ行う必要があり、複数のトラックバック先に対してトラックバック処理を行い難い課題があった。
【００１３】
特に、企業が運営する企業ウェブログでは、個人が運営する個人ウェブログとは異なり、他のウェブログに掲載された情報に対して多くのトラックバック処理を行い、企業が配信する情報をできるだけ多くの利用者に閲覧してもらうことが重要となる。しかし、上記理由からウェブログを十分に活用した情報公開が行われていない状況である。
【００１４】
また、トラックバック先の検索においても、複数の検索キーワードを用いた検索を行う場合は、検索キーワードの数に応じた複数回の検索を行う必要がある。
【００１５】
さらに、検索エンジン等での記事検索では、管理者が検索キーワードを入力することにより、趣味・趣向に応じた関連ウェブログを検索することができるが、この検索キーワードは管理者の主観に基づくものであり、所望の関連記事を抽出できていない、若しくは検索キーワードに関連するものであっても、関連性の低い記事が公開されたウェブログが検索されてしまう可能性がある。
【００１６】
そこで、本発明の例示的な目的は、ウェブログによる情報の繋がりやコミュニティ性を十分に発揮させるためのウェブログサービスを提供するウェブログサーバ及びウェブログサービス提供システムを実現することにある。
【課題を解決するための手段】
【００１７】
本発明の１つの観点としてのウェブログサーバは、ウェブログを開設するユーザが操作するユーザ端末に対し、ウェブログサービスを提供するウェブログサーバであって、トラックバック先としてのＷＥＢ上の複数のコンテンツ情報を自動的に取得するコンテンツ情報取得手段と、ユーザ端末に送信される複数のトラックバック先に関する情報をコンテンツ情報に基づいて生成するトラックバック先情報生成手段と、このトラックバック先に関する情報に応じてユーザ端末にて指定されたトラックバック先に対しトラックバックを行うトラックバック手段とを有することを特徴とする。
【００１８】
また、本発明の他の観点としてのトラックバック支援システムは、ウェブログを開設するユーザが操作するユーザ端末と、該ユーザ端末にウェブログサービスを提供するウェブログサーバとを備えたウェブログサービス提供システムであって、ウェブログサーバは、トラックバック先としてのＷＥＢ上の複数のコンテンツ情報を自動的に取得するコンテンツ情報取得手段と、ユーザ端末に送信される複数のトラックバック先に関する情報を前記コンテンツ情報に基づいて生成するトラックバック先情報生成手段と、このトラックバック先に関する情報に応じてユーザ端末にて指定されたトラックバック先に対しトラックバックを行うトラックバック手段とを有することを特徴とする。
【発明の効果】
【００１９】
本発明によれば、ユーザ端末には複数のコンテンツに基づくトラックバック先が表示され、ユーザはこれらトラックバック先から所望するトラックバック先を指定すれば、当該指定されたトラックバック先に対してトラックバックを行うことができる。
【００２０】
このため、ユーザにとって簡単かつ容易なトラックバック処理が実現され、ウェブログによる情報の繋がりやコミュニティ性を十分に発揮させることが可能となる。
【発明を実施するための最良の形態】
【００２１】
以下、本発明の実施例について説明する。
【実施例１】
【００２２】
図１は、本発明のウェブログサービス提供システムの概要及びウェブログサービスをユーザ（ユーザ端末）に提供するウェブログサーバの構成を説明するための図である。図１に示すように、本実施例のウェブログサービス提供システムは、ウェブログを開設するユーザが操作しインターネット等のネットワークＮに接続可能なコンピュータ等のユーザ端末３００と、ウェブログサービス（ウェブログ機能）全般をユーザ端末３００に提供するためのウェブログサーバ１００とで構成されている。
【００２３】
そして、本実施例におけるウェブログサービス提供システムは、ウェブログサーバ１００によりユーザ端末３００に提供されるウェブログ上での機能としてのトラックバックをユーザにとって使い勝手が良く、かつ簡単に行うことが可能な点を主要な特徴としている。特に、本実施例のウェブログサービス提供システムは、以下に説明するようにユーザが所望するトラックバック先を自動的に抽出し、かつ複数にトラックバック先に対して一度にトラックバックを行うことができるトラックバック処理を提供する。
【００２４】
ウェブログサーバ１００は、ネットワークＮを介してユーザ端末３００や他のウェブログサイト、ＷＥＢサイトとの情報通信を行う通信部１０１と、ウェブログを開設するユーザ（例えば、ウェブログサービスを提供するプロバイダからウェブログの開設許諾を得て、ウェブログページに記事等の情報を登録したり、その他のウェブログ開設者としての権限を有するもの、以下、ウェブログ開設（登録）者と称す）のユーザ端末３００へ通信部１０１を介してウェブログ機能を提供するための各種情報が記憶されたデータベース１０３と、このデータベース１０３に格納されている情報を基に、ユーザ端末３００に各種ウェブログサービスを提供するウェブログサービス提供部１０２と、ユーザ端末３００にてウェブログ開設者が行う操作及び要求に応じて、ウェブログサーバ１００全体を制御するウェブログ管理部（ＣＰＵ）１０４とを備えている。
【００２５】
ウェブログサービス提供部１０２は、ウェブログ開設者がユーザ端末３００を介してウェブログページに投稿する記事を入力するための入力部や後述するトラックバック先情報が表示される表示部、また、ウェブログページのページレイアウトを設定するための設定部やウェブログ開設者のプロフィール情報を設定ための情報入力部に関する表示画面プログラムをユーザ端末３００から操作及び要求に応じて送信する。そして、ウェブログ開設者はディスプレイ等に表示されたこれらの表示画面から各種情報の登録、更新、削除、閲覧等を行うことができる。
【００２６】
そして、本実施例のウェブログサービス提供システムでは、そのウェブログ機能として投稿記事の登録機能、ウェブログページに登録した投稿記事に対し、ウェブログページを閲覧する一般利用者がコメントを付するためのコメント機能、ウェブログ開設者が投稿した記事に関連するトラックバック先に対してトラックバックを行うためのトラックバック機能などがユーザ端末３００に提供される。これらの機能は、ウェブログ管理部１０４がユーザ端末３００からの要求等に応じて不図示のメモリに記憶されたプログラムを読み出し、通信部１０１、ウェブログサービス提供部１０２、データベース１０３及びトラックバック部１０５を制御することによりユーザ端末３００に提供される。
【００２７】
次に、本実施例のウェブログサービス提供システムにおいて、ウェブログ機能の１つとしてのトラックバックを行うトラックバック部１０５について詳細に説明する。
【００２８】
トラックバック部１０５は、ネットワークＮを介し他のウェブログを含む外部サイトにアクセスし、外部サイトのＲＳＳ（Ｒｉｃｈ  Ｓｉｔｅ  Ｓｕｍｍａｒｙ）情報を自動的に取得するＲＳＳ取得部１０５１と、このＲＳＳ情報を取得するためのキーワード（検索キーワード）をトラックバックデータベース１０５３のキーワード情報テーブル１０５３ａに登録するキーワード管理部１０５２と、トラックバック先情報を生成するトラックバック先情報生成部１０５４と、トラックバック先のトラックバックＵＲＬ（トラックバックアドレス）を抽出するＵＲＬ抽出部１０５５と、ユーザ端末３００にて指定されたトラックバック先に対し、トラックバックＵＲＬを用いてトラックバック処理を行うトラックバック処理部１０５６とで構成されている。
【００２９】
ＲＳＳ取得部１０５１は、外部サイトが公開するウェブページに関するＲＳＳ情報（タイトル情報、ＵＲＬ情報、掲載記事の見出し情報、掲載記事の要約情報又は本文情報、更新日時情報等）を自動的に取得し、トラックバックデータベース１０５３のコンテンツ情報テーブル１０５３ｂにコンテンツ情報として格納する。このＲＳＳ情報の取得処理は、ウェブログ開設者がユーザ端末３００を介してキーワード情報テーブル１０５３ａに登録した全てのキーワード情報に対して行われる。具体的には、ＲＳＳ取得部１０５１は、ＷＥＢサイトのＲＳＳ情報のタイトル情報、見出し情報、要約情報等に登録されているキーワード情報が含まれているかなどのマッチング処理を行い、適合する該当ＲＳＳ情報をコンテンツ情報としてコンテンツ情報テーブル１０５３ｂに格納する。
【００３０】
また、このＲＳＳ取得部１０５１はキーワード情報により検索されたＷＥＢページがウェブログである場合には、トラックバックＵＲＬ情報も自動的に取得し、コンテンツ情報テーブル１０５３ｂに格納している。
【００３１】
キーワード管理部１０５２は、ユーザ端末３００からの要求に応じてキーワード登録用画面プログラムをトラックバックデータベース１０５３から抽出して、ユーザ端末３００に送信する。そして、ユーザ端末３００からキーワード登録画面（図６参照）を介してウェブログ開設者が登録（入力）したキーワード情報を、ウェブログ開設者毎にウェブログ登録者ＩＤ等の識別情報を付与してキーワード情報テーブル１０５３ａに格納する。
【００３２】
トラックバック先情報生成部１０５４は、ウェブログ開設者が登録したキーワードに基づくトラックバック先情報を、コンテンツ情報テーブル１０５３ｂに格納されているコンテンツ情報を用いて生成する。本実施例では、キーワード管理部１０５２は当該ウェブログ開設者が登録した複数のキーワード情報（ＲＳＳ取得処理において用いられたキーワード情報を含む）を選択するためのキーワード選択（登録）画面をユーザ端末３００に表示させる。そして、トラックバック先情報生成部１０５４はこのキーワード選択画面で指定されたキーワード情報に適合するウェブログに関するコンテンツ情報をコンテンツ情報テーブル１０５３ｂから抽出して、トラックバック先情報を生成するとともに、抽出済みコンテンツ情報テーブル１０５３ｃに、このウェブログ開設者を識別する識別情報と指定されたキーワード情報、及びコンテンツ情報を格納する。
【００３３】
このトラックバック先情報には、トラックバック先毎に投稿記事のタイトル情報、ＵＲＬ情報、当該ウェブログ又は掲載記事の更新日時情報等が含まれ、ユーザ端末３００にてウェブログ開設者がトラックバック先情報の中から任意に１つ又は２つ以上のトラックバック先を指定することができる。
【００３４】
トラックバックＵＲＬ抽出部１０５５は、トラックバック先のウェブログに掲載された記事に対するトラックバックＵＲＬを抽出する。具体的には、当該ウェブログページにアクセスして、対象となるトラックバックＵＲＬを抽出し、トラックバックデータベース１０５３に格納する。通常は、ＲＳＳ取得部１０５１のＲＳＳ情報取得処理でこのトラックバックＵＲＬも自動的に抽出されるが、ＲＳＳ情報取得処理においてトラックバックＵＲＬが抽出できなかった場合、このトラックバックＵＲＬ抽出部１０５５により再度抽出処理が行われる。
【００３５】
トラックバック処理部１０５６は、ユーザ端末３００にて指定されたトラックバック先に対し、抽出済みコンテンツ情報テーブル１０５３ｃに格納されているトラックバックＵＲＬを用いて、トラックバック処理（トラックバックＵＲＬに対してトラックバックＰｉｎｇ送信処理）を行う。
【００３６】
このように本実施例のトラックバック部１０５は、ウェブログサービス提供システムのトラックバック機能を提供するためのトラックバックシステムを形成し、また、ウェブログサービスの１つとして従来から提供されているトラックバックを支援するトラックバック支援システムとして機能する。
【００３７】
次に、図３を用いてＲＳＳ取得処理について説明する。
【００３８】
まず、ＲＳＳ取得部１０５１はウェブログ管理部１０４からの処理要求により、キーワード情報テーブル１０５３ａから格納されているキーワード情報を抽出するとともに（Ｓ１０１）、通信部１０１を介して外部サイトのＲＳＳ情報受信処理を開始する（Ｓ１０２）。そして、抽出キーワードが含まれる、又は合致するＲＳＳ情報を抽出し（Ｓ１０３）、抽出したＲＳＳ情報をコンテンツ情報テーブル１０５３ｂに格納する（Ｓ１０４）。このＲＳＳ取得処理は、キーワード情報テーブル１０５３ａに格納（登録）されているキーワード情報の全てを対象に行われる（Ｓ１０５）。
【００３９】
具体的には、キーワード情報テーブル１０５３ａに登録されているキーワード情報が「漢方」である場合、ＲＳＳ取得部１０５１は、外部サイトのＲＳＳ情報のタイトル情報、要約情報（若しくは本文情報）に「漢方」が含まれるか否かを判別して、「漢方」が含まれているＲＳＳ情報を取得する。
【００４０】
次に、図４のフローチャート図、図５から図７の表示画面遷移図を用いて、本実施例のウェブログサービス提供システム及びトラックバック処理について詳細に説明する。
【００４１】
まず、ウェブログ開設者がそのユーザ端末３００からウェブログサーバ１００にアクセスすると、ウェブログサーバ１００のウェブログ管理部１０４からの処理命令によりウェブログサービス提供部１０２がウェブログ開設者の開設するウェブログページ情報をデータベース１０３から抽出し、ユーザ端末３００に送信する。
【００４２】
ユーザ端末３００のディスプレイにはこのウェブログページが表示され、ウェブログ開設者が投稿した記事や投稿記事に対する一般利用者からのコメント情報などを参照することができる。
【００４３】
そして、ウェブログ開設者が新しく投稿記事をウェブログ上に掲載したい場合、ユーザ端末３００に表示された画面の記事投稿ボタン等を指定することにより、ウェブログサーバ１００に投稿記事要求データが送信される。ウェブログ管理部１０４がユーザ端末３００からの投稿記事要求データを受信すると、ウェブログ管理部１０４の要求によりウェブログサービス提供部１０２がタイトル入力部Ｃ１０１、投稿記事内容入力部Ｃ１０２、トラックバック先表示部Ｃ１０３、トラックバック入力部Ｃ１０４を含む登録用画面プログラムをユーザ端末３００に送信する。
【００４４】
ウェブログ開設者はユーザ端末３００のキーボート等の入力手段を用いてこの登録用画面Ｃ１の各入力部から投稿する記事に関する情報を入力する。そして、ウェブログ開設者が投稿する記事に対してトラックバックを行う場合、ウェブログ開設者がユーザ端末３００のマウス等によりトラックバック表示部Ｃ１０３のトラックバック選択ボタンＤ１を選択する。
【００４５】
ウェブログサーバ１００ではユーザ端末３００から送信されるトラックバック選択要求データに基づいて、ウェブログ管理部１０４の要求によりキーワード選択登録画面Ｃ２がユーザ端末３００に送信される。
【００４６】
まず、トラックバック先情報生成部１０５４は、ウェブログ開設者の識別情報に基づいてキーワード情報テーブル１０５３ａからウェブログ開設者が登録した全てのキーワード情報を抽出する。また、トラックバックデータベース１０５からキーワード選択登録画面プログラムを抽出する。そして、登録されたキーワード情報を含むキーワード選択登録画面をユーザ端末３００に送信する。
【００４７】
ユーザ端末３００では、キーワード選択登録画面Ｃ２のキーワード表示部Ｃ２０１にキーワード情報一覧が表示され、ウェブログ開設者は投稿する記事に関連したキーワードを選択することができる。また、このキーワード表示部Ｃ２０１に表示されたキーワード情報とは別に、新たなキーワード情報によりトラックバック先を検索したい場合は、キーワード登録部Ｃ２０２の入力欄にキーワード情報を入力することにより、ウェブログサーバ１００に新たなキーワード情報を登録することができる。
【００４８】
つまり、ウェブログサーバ１００はユーザ端末３００から登録キーワード情報を受信した場合（Ｓ２０１）、トラックバック部１０５において、キーワード管理部１０５２がキーワード登録処理を行い（Ｓ２０２）、ＲＳＳ取得部１０５１がこの新たに登録されたキーワード情報に基づいてＲＳＳ情報を取得し（Ｓ２０３）、コンテンツ情報テーブル１０５３ｂに格納する（Ｓ２０４）。
【００４９】
その後、キーワード選択登録画面Ｃ２においてウェブログ開設者が投稿記事に関連するキーワードをキーワード情報一覧から選択すると、このキーワード選択情報がユーザ端末３００からウェブログサーバ１００に送信される（Ｓ２０５）。トラックバック先情報生成部１０５４は該選択情報に基づいてコンテンツ情報テーブル１０５３ｂから該当するコンテンツ情報を抽出し（Ｓ２０６）、トラックバック先情報を生成する（Ｓ２０７）。また、トラックバック先情報生成部１０５４は抽出済みコンテンツ情報テーブル１０５３ｃに、この抽出されたコンテンツ情報とともにウェブログ開設者を識別する識別情報とキーワード情報を格納する。
【００５０】
ユーザ端末３００ではトラックバック先情報に基づくトラックバック先選択画面Ｃ３が表示され（図７参照）、ウェブログ開設者により所望のトラックバック先を選択することができる。トラックバック先選択画面Ｃ３で選択されたトラックバック先は、登録用画面Ｃ１のトラックバック表示部Ｃ１０３に表示される（図５参照）。なお、登録用画面Ｃ１のトラックバック入力部Ｃ１０４に、従来のトラックバック処理と同様に直接トラックバックＵＲＬをユーザ端末から入力することもできる。
【００５１】
そして、ウェブログ開設者がユーザ端末３００に表示されているトラックバック先や投稿記事内容を確認した後、投稿記事を公開、つまりウェブログサーバ１００に登録処理要求データを送信すると、投稿記事の登録処理と共にウェブログサーバ１００のトラックバック部１０５によるトラックバック処理が行われる。
【００５２】
トラックバックＵＲＬ抽出部１０５５では、この登録処理要求データに応じて抽出済みコンテンツ情報テーブル１０５３ｃからトラックバックＵＲＬを抽出する（Ｓ２０８）。この抽出処理において、抽出済みコンテンツ情報テーブル１０５３ｃにトラックバックＵＲＬ情報が格納されていない場合（Ｓ２０９）、トラックバックＵＲＬ抽出部１０５５が通信部１０１を介してトラックバック先のウェブログにアクセスし、トラックバックＵＲＬ情報を取得する（Ｓ２１０）。そして、この抽出したトラックバックＵＲＬ情報を、コンテンツ情報テーブル１０５３ｂ及び抽出済みコンテンツ情報テーブル１０５３ｃにそれぞれ格納する（Ｓ２１１）。
【００５３】
そして、トラックバック処理部１０５６は抽出されたトラックバックＵＲＬ情報に基づいて、トラックバック先に対しトラックバック（トラックバックＰｉｎｇ送信）を行う（Ｓ２１２）。
【００５４】
また、トラックバック処理部１０５６はトラックバック先から送信されるトラックバック結果情報と当該トラックバック先のコンテンツ情報とをトラックバック実行情報テーブル１０５３ｄに格納する。
【００５５】
このように本実施例では、ウェブログ開設者が投稿する記事に対するトラックバック処理において、予めウェブログ開設者により登録されるキーワード情報に基づいて、トラックバック先としてのコンテンツ情報を取得する。そして、取得したコンテンツ情報に基づく複数のトラックバック先情報をユーザ端末３００に提示する。
【００５６】
このため、ウェブログ開設者は検索エンジン等を用いて投稿記事に関連するトラックバック先としてのウェブログ等を検索することなく、ウェブログサーバ１００から提供されるトラックバック先情報の中から所望のトラックバック先を指定してトラックバックを行うことができる。
【００５７】
また、図７に示すトラックバック先情報にはタイトル情報が表示されているが、トラックバック先のコンテンツ情報の要約文を表示するように構成でき、トラックバック先の記事情報の要約文を参照しながら、ウェブログ開設者は投稿する記事に関連するトラックバック先を選択することができる。
【００５８】
このため、従来のようにトラックバックを行う際の、トラックバック先の検索、トラックバックＵＲＬ情報の抽出等をウェブログ開設者が行うことなく、複数のトラックバック先に対して、簡単かつ容易にトラックバックを一度に行うことができる。したがって、本実施例のトラックバック処理により、ウェブログによる情報の繋がりを容易に実現することができ、ウェブログによる情報配信性を最大限に発揮させることができる。
【００５９】
また、ウェブログ開設者が予め登録したキーワードとは別に投稿する記事に応じたキーワード情報を登録することで、新たなＲＳＳ情報に基づくトラックバック先をウェブログ開設者に提供することができるので、投稿する記事に最適なトラックバック先に対してトラックバックを行うことができるとともに、最新情報を公開情報に対してトラックバックを行うことができる。
【実施例２】
【００６０】
図８は本発明の実施例２におけるウェブログサービス提供システムを説明するための図であり、図８は本実施例のウェブログサービス提供システムの概要及びウェブログサーバの構成を示す図である。本実施例は上記実施例１に対しウェブログ開設者がユーザ端末３００を介してウェブログサーバ１００に登録したキーワード情報に関連する新たなキーワードを自動的に生成（抽出）するキーワード生成部１０５２ａを有している。また、図９に示すように、本実施例のトラックバックデータベース１０５は、キーワード生成部１０５２ａにより生成されたキーワード候補情報を記憶するためのキーワード候補テーブル１０５３ｅを備えている。なお、その他の構成及びその機能は上記実施例１と同様であるため、説明を省略する。
【００６１】
ここで、本実施例のキーワード生成部１０５２ａによるキーワード生成処理の概要を説明する。上記実施例１で説明したように、キーワード情報テーブル１０５３ａには一のウェブログ開設者がその趣味・趣向に基づいて登録したキーワード情報が格納されており、同様に他の複数のウェブログ開設者が趣味・趣向に基づいて登録した各々のキーワード情報も格納される。
【００６２】
そして、ＲＳＳ取得部１０５１は、このキーワード情報テーブル１０５３ａに格納されている全てのキーワード情報、つまり、多数のウェブログ開設者が各々個別に登録した全てのキーワード情報を抽出キーワードとするＲＳＳ取得処理を行い、適合するＲＳＳ情報をコンテンツ情報としてコンテンツ情報テーブル１０５３ｂに格納する。
【００６３】
このとき、例えば、ウェブログ開設者Ａにより登録されたキーワードＫ１がコンテンツ情報Ｍと適合し、さらにウェブログ開設者Ｂにより登録されたキーワードＫ１とは異なるキーワードＫ２においても同じコンテンツ情報Ｍと適合する場合がある。つまり、同一のコンテンツ情報Ｍに対して互いに異なる複数のキーワードが抽出キーワードとなる場合がある。
【００６４】
そこで、本実施例では、ＲＳＳ取得処理により取得されたコンテンツ情報が複数の抽出キーワードを有する場合、互いの抽出キーワードが関連性を有して可能性が高いことに着目し、一のウェブログ開設者が登録したキーワードに基づいて取得されたコンテンツ情報が他に抽出キーワードを有する場合、これらの他の抽出キーワードをキーワード生成部１０５２ａにより自動的に抽出する。
【００６５】
また、本実施例は実際にトラックバックを行ったトラックバック先（トラックバック処理済み）のコンテンツ情報に対応するキーワード、つまり、トラックバック実行情報テーブル１０５３ｄに格納されているコンテンツ情報の抽出キーワードを用いて、キーワード生成部１０５２ａによるキーワード生成処理を行う。
【００６６】
図１０は、本実施例のキーワード生成処理を説明するためのフローチャート図である。まず、キーワード生成部１０５２ａは、トラックバック処理後のコンテンツ情報が格納されているトラックバック実行情報テーブル１０５３ｄから各コンテンツ情報のＵＲＬ情報及び抽出キーワード情報を含むコンテンツ情報（第１のコンテンツ情報）を取得し（Ｓ３０１）、この抽出したＵＲＬ情報に該当するコンテンツ情報（第２のコンテンツ情報）をコンテンツ情報テーブル１０５３ｂから抽出する（Ｓ３０２）。
【００６７】
そして、キーワード生成部１０５２ａは、図９（ｂ）に示すようにコンテンツ情報テーブル１０５３ｂから抽出した第２のコンテンツ情報の抽出キーワード項目に、第１のコンテンツ情報のキーワード情報、つまり、一のウェブログ開設者がユーザ端末３００を介してウェブログサーバ１００に登録したキーワードとは別の抽出キーワード情報が格納されているか否かを判別する（Ｓ３０３）。
【００６８】
このステップ３０３において、登録キーワードと別の抽出キーワード情報がコンテンツ情報テーブル１０５３ｂに格納されている場合は、当該別の抽出キーワード情報を抽出し、キーワード候補テーブル１０５３ｅに格納する（Ｓ３０４）。その後、このキーワード候補テーブル１０５３ｅに格納されているキーワード候補情報をキーワード情報テーブル１０５３ａに自動的に登録する場合は、当該キーワード候補情報をキーワード情報テーブル１０５３ａに自動的に登録する（Ｓ３０５、Ｓ３０６）。
【００６９】
一方、キーワード候補情報を自動的にキーワード情報テーブル１０５３ａに自動的に登録しない場合、すなわち、キーワード候補テーブル１０５３ｅにキーワード候補情報が格納されている場合は、図１２に示すようにキーワード選択登録画面Ｃ２のキーワード候補欄Ｃ２０３にキーワード候補一覧情報を表示させるよう、キーワード管理部１０５２がキーワード候補情報をユーザ端末３００に送信する。そして、ユーザ端末３００では、このキーワード候補一覧情報の中から新たに登録したいキーワードを選択することで、ウェブログサーバ１００へ当該ウェブログ開設者の新たな抽出キーワードとして登録することができる。
【００７０】
このように本実施例では、ウェブログ開設者が既に登録したキーワード情報に関連する新たなキーワード情報を自動的に生成し、キーワード情報テーブル１０５３ｂに格納することができる。
【００７１】
このため、トラックバック先としてのコンテンツ情報を幅広く抽出することができる。つまり、同一のコンテンツ情報に対して互いに異なる複数のキーワードは、各々他のコンテンツ情報の抽出キーワードとして用いられている場合があり、キーワード候補一覧情報の中から新たに登録したキーワード情報により、一のウェブログ開設者が既に登録したキーワード情報では取得できなかったコンテンツ情報を、幅広く抽出することが可能となる。したがって、ウェブログ開設者に複数のトラックバック先を好適に提示することができる。
【００７２】
さらに、実際にトラックバックを行ったトラックバック先のコンテンツ情報に対応するキーワードに基づいて、新たなキーワード情報を生成しているので、ウェブログ開設者の趣味・趣向に適したキーワード候補情報の提供及びコンテンツ情報取得を行うことが可能となる。
【００７３】
また、ユーザ端末３００に表示されたキーワード選択登録画面Ｃ２においてウェブログ開設者がキーワード選択を行う際に本実施例のキーワード生成処理を適用することで、ウェブログ開設者に自動的に新たなキーワード情報を提供することができる。
【００７４】
図１１に示すように、ユーザ端末３００からキーワード選択登録画面Ｃ２にて指定したキーワード指定情報がウェブログサーバ１００に送信されると（Ｓ４０１）、キーワード生成部１０５２ａは、指定されたキーワード情報が含まれるコンテンツ情報をコンテンツ情報テーブル１０５３ｂから抽出する（Ｓ４０２）。
【００７５】
そして、キーワード生成部１０５２ａは、コンテンツ情報テーブル１０５３ｂから抽出したコンテンツ情報の抽出キーワード項目に、ユーザ端末３００からの指定キーワードとは別のキーワード情報が当該コンテンツ情報の抽出キーワードとして格納されているか否かを判別する（Ｓ４０３）。
【００７６】
このステップ４０３において、指定キーワードと別の抽出キーワード情報がコンテンツ情報テーブル１０５３ｂに格納されていた場合は、当該別の抽出キーワード情報を抽出し、キーワード候補テーブル１０５３ｅに格納する（Ｓ４０４）。
【００７７】
その後、図１２に示すようにキーワード選択登録画面Ｃ２のキーワード候補欄Ｃ２０３にキーワード候補テーブル１０５３ｅに格納されたキーワード候補情報を一覧表示させるため、このキーワード候補情報をユーザ端末３００に送信する（Ｓ４０７）。そして、ユーザ端末３００ではキーワード候補欄Ｃ２０３に表示されたキーワード候補一覧情報の中から新たに登録したいキーワードを選択することができる。キーワード管理部１０５２では、ユーザ端末３００からキーワード候補情報に基づくキーワード登録要求データを受信した場合には（Ｓ４０８）、要求されたキーワード候補情報を当該ウェブログ開設者の新たな抽出キーワードとしてキーワード情報テーブル１０５３ａに格納する（Ｓ４０９）。
【００７８】
なお、ウェブログ開設者又はウェブログサーバ１００の設定処理により、キーワード候補テーブル１０５３ｅにキーワード候補情報が格納された時点で自動的に該キーワード候補情報をキーワード情報テーブル１０５３ａに登録するよう構成することもできる（Ｓ４０５、Ｓ４０６）。
【００７９】
このようにウェブログ開設者がウェブログサーバ１００に登録したキーワードに関連するキーワード情報を、トラックバック先を選択する際のキーワード選択時にウェブログ開設者に提示することができる。このため、ウェブログ開設者は投稿する記事に関連するキーワード情報を自ら創作することなく容易に選択（登録）することができ、トラックバック先の選択を簡単かつスピーディに行うことができる。
【００８０】
また、ウェブログ開設者は自らキーワード情報を登録する際にも、キーワード候補一覧情報を参照しながらキーワードの創作等を行うことができるので、抽出されたコンテンツ情報の抽出キーワードが有する客観性に鑑みたキーワード登録が可能となる。
【００８１】
以上、実施例１、２では、ウェブログ機能の１つであるトラックバック処理をウェブログサービス提供システムによって提供しているが、従来のウェブログサービス提供システムで提供するトラックバック処理について、本発明のトラックバック処理を適用するように構成することも可能である。
【００８２】
具体的には、本発明のトラックバック処理をプログラムとして提供するのみならず、トラックバック部１０５をトラックバックシステム又はトラックバック装置として従来のウェブログサービス提供システムに適用することができる。例えば、本発明のトラックバック部１０５をＲＳＳ取得部１０５１、キーワード管理部１０５２、トラックバック先情報生成部１０５４、ＵＲＬ抽出部１０５５、トラックバック処理部１０５６、トラックバックデータベース１０５を備えるトラックバック支援サーバとして構成する。そして、従来のウェブログサービス提供システムでのトラックバック処理に対してこのトラックバック支援サーバを付加的に適用する。
【００８３】
言い換えれば、図５の登録用画面Ｃ１において、トラックバック選択ボタン等をウェブログ開設者がユーザ端末から指定した場合、このトラックバック支援サーバによりキーワード登録画面プログラムをユーザ端末３００に送信し、登録されたキーワード情報に基づいてＲＳＳ取得処理及びトラックバック先情報生成処理を行うことで、本発明のトラックバック処理を提供することができる。
【００８４】
なお、上記実施例１、２において、ユーザ端末３００におけるトラックバック先選択において、指定したキーワード情報に基づくコンテンツ情報を抽出済みコンテンツ情報テーブル１０５３ｃに格納し、次の記事投稿において前回のトラックバック先に関する情報を登録用画面Ｃ１のトラックバック表示部Ｃ１０３に表示させる構成としている。このため、前回のトラックバック先情報に基づいて記事投稿やトラックバック先を新たなトラックバック先を選択することができるとともに、ウェブログサーバ１００の処理負担が軽減される。
【００８５】
しかし、抽出済みコンテンツ情報テーブル１０５３ｃにコンテンツ情報を格納しなくても、コンテンツ情報テーブル１０５３ｂから直接にトラックバック先のコンテンツ情報を抽出しても本発明のトラックバック処理を実現することが可能である。
【００８６】
また、上記実施例１において、ユーザ端末３００に表示されるトラックバック先情報
は予め登録されたキーワード情報の中から選択したキーワード情報に基づくトラックバック先であるが、例えば、ユーザ端末３００に対して、ウェブログ開設者がウェブログサーバ１００に登録した全てのキーワード情報に対応する全てのトラックバック先を一覧表示させたり、登録キーワード毎に全てのトラックバック先を表示させたりすることも可能である。
【図面の簡単な説明】
【００８７】
【図１】本発明の実施例１に係るウェブログサービス提供システムの概略構成及びウェブログサーバの構成ブロック図。
【図２】本発明の実施例１に係るウェブログサービス提供システムのデータベース構成図。
【図３】本発明の実施例１に係るウェブログサービス提供システムの処理遷移を示すフローチャート図。
【図４】本発明の実施例１に係るウェブログサービス提供システムの処理遷移を示すフローチャート図。
【図５】本発明の実施例１に係るウェブログサービス提供システムのユーザ端末に表示される画面遷移図。
【図６】本発明の実施例１に係るウェブログサービス提供システムのユーザ端末に表示される画面遷移図。
【図７】本発明の実施例１に係るウェブログサービス提供システムのユーザ端末に表示される画面遷移図。
【図８】本発明の実施例２に係るウェブログサービス提供システムの概略構成及びウェブログサーバの構成ブロック図。
【図９】本発明の実施例２に係るウェブログサービス提供システムのデータベース構成図。
【図１０】本発明の実施例２に係るウェブログサービス提供システムの処理遷移を示すフローチャート図。
【図１１】本発明の実施例２に係るウェブログサービス提供システムの処理遷移を示すフローチャート図。
【図１２】本発明の実施例２に係るウェブログサービス提供システムのユーザ端末に表示される表示画面図。
【符号の説明】
【００８８】
１００      ウェブログ
１０５      トラックバック部
１０５１    ＲＳＳ取得部
１０５２    キーワード管理部
１０５３    トラックバックデータベース
１０５４    トラックバック先情報生成部
１０５５    トラックバックＵＲＬ抽出部
１０５６    トラックバック処理部
３００      ユーザ端末
Ｎ          ネットワーク（インターネット）
【図１】
2007025753.tif 000003
【図２】
2007025753.tif 000004
【図３】
2007025753.tif 000005
【図４】
2007025753.tif 000006
【図５】
2007025753.tif 000007
【図６】
2007025753.tif 000008
【図７】
2007025753.tif 000009
【図８】
2007025753.tif 000010
【図９】
2007025753.tif 000011
【図１０】
2007025753.tif 000012
【図１１】
2007025753.tif 000013
【図１２】
2007025753.tif 000014